(57)【要約】  【課題】貯蔵室の扉の開閉を検知するドアスイッチとドアスイッチの入力により庫内灯等の負荷の動作を制御する制御装置を備えた冷蔵庫の信頼性を高める。  【解決手段】ドアスイッチ５ａからの信号入力がオフからオンになると庫内灯３ａへの出力をオフからオンし、ドアスイッチ５ａからの信号入力がオンからオフになると庫内灯３ａへの出力をオンからオフに切り替えるとともに、庫内灯３ａへの出力は切り替えてから所定時間はその出力を維持する制御装置６を備えたことにより、ドアスイッチがチャタリングしたとしても庫内灯への出力のチャタリング周期を所定時間以上にすることができ、庫内灯や庫内灯に接続した制御装置の接点寿命の低下を抑制できる。【選択図】図３
2007147099.tif 000002
【特許請求の範囲】
【請求項１】
貯蔵室の扉の開／閉を検知するドアスイッチと、前記貯蔵室を照明する庫内灯と、前記ドアスイッチの信号入力により前記庫内灯への通電オン／オフ出力を制御する制御装置とを備え、前記制御装置は、前記扉が閉から開になり前記ドアスイッチからの信号入力がオフからオンになると前記庫内灯への出力をオフからオンに、前記扉が開から閉になり前記ドアスイッチからの信号入力がオンからオフになると前記庫内灯への出力をオンからオフに切り替えるとともに、前記庫内灯への出力は切り替えてから所定時間はその出力を維持することを特徴とした冷蔵庫。
【請求項２】
庫内灯への出力をオンからオフに切り替えた時は、前記所定時間は０とすることを特徴とした請求項１に記載の冷蔵庫。
【請求項３】
ドアスイッチからの扉閉時のオフ入力が所定時間未満の場合はオフ入力を無効とし、前記庫内灯の出力を切り替えないことを特徴とした請求項２に記載の冷蔵庫。
【請求項４】
庫内灯への出力をオフからオンに切り替えてから所定時間計時中にドアスイッチからの入力がオフからオンになる毎に所定時間の計時をやり直すことを特徴とした請求項２または３に記載の冷蔵庫。
【請求項５】
前記所定時間を０．１〜１０秒としたことを特徴とした請求項１から４のいずれか一項に記載の冷蔵庫。
【発明の詳細な説明】
【技術分野】
【０００１】
本発明は、貯蔵室の扉の開閉にともなう庫内灯の動作を制御する冷蔵庫に関するものである。
【背景技術】
【０００２】
従来、冷蔵庫の庫内灯の制御方式としては、貯蔵室の扉の開閉を検知するスイッチの接点に庫内灯を直接接続して、貯蔵室の扉の開閉に連動させる方式のものがある（例えば特許文献１参照）。
【０００３】
以下、図面を用いて従来の庫内灯の制御方式について説明する。
【０００４】
図１０は、従来の庫内灯制御回路を備えた冷蔵庫の正面図であり、図１１は、従来の庫内灯制御回路の回路図である。
【０００５】
図１０において、冷蔵庫１の貯蔵室である冷蔵室２ａの庫内には庫内灯３ａを設け、冷凍室２ｂの庫内には庫内灯３ｂを設け、庫内を照明している。冷蔵室２ａと冷凍室２ｂを仕切る仕切板１０の前面に冷蔵室２ａの扉４ａの開閉を検知するドアスイッチ５ａと冷凍室２ｂの扉４ｂの開閉を検知するドアスイッチ５ｂが設置されている。
【０００６】
次にその動作について説明する。
【０００７】
図１１において、庫内灯３ａ、３ｂは各室のドアスイッチ５ａ、５ｂの接点にそれぞれ接続され、各室の扉４ａ、４ｂの開閉に連動して各ドアスイッチ５ａ，５ｂがオン／オフし、各扉４ａ、４ｂが開いた際には、それぞれ対応する庫内灯３ａ、３ｂが点灯し、また扉４ａ，４ｂが閉じた際には消灯するものである。又、各ドアスイッチの信号を扉開閉検出手段５１を介してマイコン５２に取り込み、ファンモータ用リレー５３を介して、庫内ファンモータ５４を制御している。
【特許文献１】特開平５−８７４３１号公報
【発明の開示】
【発明が解決しようとする課題】
【０００８】
しかしながら、上記従来の制御では、ドアスイッチが例えば安価な機械式でオン／オフ切り替わり位置のヒステリシスの無い除動式のスイッチ等では、扉が半開きでちょうどドアスイッチのオン／オフ切り替わり位置で止まっている場合に、ドアスイッチがチャタリングを起こす恐れがあり、庫内灯も連動してチャタリングを起こすことになる。この際、庫内灯のラッシュ電流により、庫内灯や庫内灯に接続した制御機器の接点寿命を低下させることになる。
【０００９】
本発明は、上記従来の課題を解決するもので、オン／オフ切り替わり位置のヒステリシスの無い除動式のドアスイッチを用いる等で、ドアスイッチがチャタリングを起こしたとしても庫内灯や庫内灯に接続した制御機器の接点寿命の低下を抑制できる庫内灯の制御装置を備えた冷蔵庫を提供することを目的とする。
【課題を解決するための手段】
【００１０】
上記従来の課題を解決するために、本発明の冷蔵庫は、貯蔵室の扉の開／閉を検知するドアスイッチと、前記貯蔵室を照明する庫内灯と、前記ドアスイッチの信号入力により前記庫内灯への通電オン／オフ出力を制御する制御装置とを備え、前記制御装置は、前記扉が閉から開になり前記ドアスイッチからの信号入力がオフからオンになると前記庫内灯への出力をオフからオンに、前記扉が開から閉になり前記ドアスイッチからの信号入力がオンからオフになると前記庫内灯への出力をオンからオフに切り替えるとともに、前記庫内灯への出力は切り替えてから所定時間はその出力を維持するものである。
【００１１】
これにより、ドアスイッチがチャタリングを起こしても、それに伴って庫内灯や庫内灯に接続した制御機器はチャタリングを起こす事がない。
【発明の効果】
【００１２】
本発明の冷蔵庫は、庫内灯を扉の開／閉を検知するドアスイッチにより制御する場合、ドアスイッチがチャタリングを起こしたとしても庫内灯や庫内灯に接続した制御機器の接点のチャタリングを抑制し、寿命の低下を抑制できる。
【発明を実施するための最良の形態】
【００１３】
請求項１に記載の発明は、貯蔵室の扉の開／閉を検知するドアスイッチと、前記貯蔵室を照明する庫内灯と、前記ドアスイッチの信号入力により前記庫内灯への通電オン／オフ出力を制御する制御装置とを備え、前記制御装置は、前記扉が閉から開になり前記ドアスイッチからの信号入力がオフからオンになると前記庫内灯への出力をオフからオンに、前記扉が開から閉になり前記ドアスイッチからの信号入力がオンからオフになると前記庫内灯への出力をオンからオフに切り替えるとともに、前記庫内灯への出力は切り替えてから所定時間はその出力を維持するものであり、ドアスイッチがチャタリングしたとしても庫内灯への出力のチャタリング周期を所定時間以上にすることができ、庫内灯や庫内灯に接続した制御装置の接点寿命の低下を抑制できる。
【００１４】
請求項２に記載の発明は、請求項１に記載の発明において、庫内灯への出力をオンからオフに切り替えた時は、前記所定時間は０とするものであり、ドアスイッチがチャタリングしたとしても庫内灯への出力のチャタリング周期は所定時間以上にすることができ庫内灯や庫内灯に接続した制御装置の接点寿命の低下を抑制できるとともに、貯蔵室の扉を開けドアスイッチが開になると即庫内灯を点灯でき、ユーザーの使い勝手を損なうこともない。
【００１５】
請求項３に記載の発明は、請求項２に記載の発明において、ドアスイッチからの扉閉時のオフ入力が所定時間未満の場合はオフ入力を無効とし、前記庫内灯の出力を切り替えないものであり、ドアスイッチがチャタリングしたとしてもドアスイッチのオフ入力が所定時間未満の短周期のチャタリングは防止でき、庫内灯や庫内灯に接続した制御装置の接点寿命の低下を抑制できるとともに、貯蔵室の扉を開けドアスイッチが開になると即庫内灯を点灯でき、ユーザーの使い勝手を損なうこともない。
【００１６】
請求項４に記載の発明は、請求項２または３に記載の発明において、庫内灯への出力をオフからオンに切り替えてから所定時間計時中にドアスイッチからの入力がオフからオンになる毎に所定時間の計時をやり直すものであり、さらにドアスイッチのチャタリング現象発生時の悪影響を減少でき、庫内灯や庫内灯に接続した制御装置の接点寿命の低下を抑制できるとともに、貯蔵室の扉を開けドアスイッチが開になると即庫内灯を点灯でき、ユーザーの使い勝手を損なうこともない。
【００１７】
請求項５に記載の発明は、請求項１から４のいずれか一項に記載の発明において、前記所定時間を０．１〜１０秒としたものであり、庫内灯や庫内灯に接続した制御装置の接点寿命に影響のある短周期のチャタリングを抑制でき、扉閉時に庫内灯の消灯が遅延されたとしても消費電力、庫内の温度上昇、ユーザーの不安感等の影響も少なく使い勝手を維持できる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における庫内灯制御回路を備えた冷蔵庫の正面図であり、図２は、同実施の形態の庫内灯制御回路の回路図である。
【００２０】
図１において、冷蔵庫１の貯蔵室である冷蔵室２ａの庫内には庫内灯３ａを設け庫内を照明する。冷蔵室２ａと冷凍室２ｂを仕切る仕切板１０の前面に冷蔵室２ａの扉４ａの開閉を検知するドアスイッチ５ａが設置されている。又、冷蔵庫１の背面にはドアスイッチ５ａの信号を入力し、庫内灯３ａへの通電オン／オフ出力を制御する制御装置６が設置されている。
【００２１】
図２において、ドアスイッチ５ａは扉４ａが閉時にオフ、開時にオンとなるスイッチである。尚、ドアスイッチ５ａには安価な機械式でオン／オフ切り替わり位置のヒステリシスの無い除動式のスイッチを用いている。制御装置６のマイコン１１は、ドアスイッチ５ａの信号を入力し、庫内灯用リレー１２のオン／オフを制御する。庫内灯用リレー１２の接点には庫内灯３ａが接続されており、庫内灯用リレー１２のオン／オフにより、庫内灯３ａがオン／オフする。
【００２２】
以上のように構成された冷蔵庫について、以下その動作、作用を説明する。
【００２３】
図３は、本実施の形態の制御プログラムフローチャートである。
【００２４】
電源投入時は庫内灯出力をオフし（Ｓｔｅｐ１）、次にタイマーをクリアしておく（Ｓｔｅｐ２）。尚、タイマーはダウンタイマーでタイマーがクリアにて所定時間経過したこととする。タイマーが所定時間経過したか判定（Ｓｔｅｐ３）を行い、経過していなければＳｔｅｐ３を繰り返し、所定時間が経過していればドアスイッチ５ａの入力を判定する（Ｓｔｅｐ４）。ドアスイッチ５ａからの入力がオンであれば庫内灯３ａの出力の判定を行う（Ｓｔｅｐ５）。現在の庫内灯３ａの出力がオンであれば何もせずＳｔｅｐ３に戻り、オフであれば庫内灯３ａの出力をオフからオンに切り替え（Ｓｔｅｐ６）、タイマーに所定時間をセットする（Ｓｔｅｐ９）。
【００２５】
又、Ｓｔｅｐ４でドアスイッチ５ａがオフの場合は、現在の庫内灯３ａの出力の判定（Ｓｔｅｐ７）を行い、現在の庫内灯３ａの出力がオフであれば何もせずＳｔｅｐ３に戻り、オンであれば庫内灯３ａの出力をオンからオフに切り替え（Ｓｔｅｐ８）、Ｓｔｅｐ９に進む。Ｓｔｅｐ９ではタイマーに所定時間をセットしてＳｔｅｐ３に戻るため、所定時間はＳｔｅｐ６又はＳｔｅｐ８で切り替えた庫内灯３ａの出力を維持することが出来る。
【００２６】
これにより、図４の本実施の形態の動作タイムチャートに示すように、扉４ａが半開きで丁度ドアスイッチ５ａのオン／オフ切り替わり位置で止まっている場合に、ドアスイッチ５ａがチャタリングを起こしたとしても庫内灯３ａへの出力のチャタリング周期は所定時間の２倍以上にすることができ庫内灯３ａや庫内灯３ａに接続した庫内灯用リレー１２の接点寿命の低下を抑制できる。
【００２７】
なお、出力を維持するタイマーの所定時間は０．１〜１０秒程度が望ましい。これにより、扉閉時に庫内灯の消灯が遅延されたとしても消費電力、庫内の温度上昇、ユーザーの不安感等の影響も少なく使い勝手を維持できる。
【００２８】
また、図３の制御プログラムフローチャートのＳｔｅｐ８で庫内灯３ａの出力をオンからオフに切り替えた場合は、Ｓｔｅｐ９で行っていたタイマーへセットする所定時間を０秒として、庫内灯オフ出力の所定時間維持を無くすことで、図５の本実施の形態のオフ出力維持の無い動作タイムチャートに示すように、チャタリング周期を最短でも所定時間以上に抑制しながらも、扉４ａを開けると即庫内灯３ａを点灯でき、ユーザーの使い勝手を損なうこともない。
【００２９】
（実施の形態２）
図６は、本発明の実施の形態２における制御プログラムフローチャートである。なお、実施の形態１と同じ部分については、同じ符号を付与し説明は省略する。
【００３０】
電源投入時は庫内灯出力をオフし（Ｓｔｅｐ１１）、次にタイマーをクリアしておく（Ｓｔｅｐ１２）。次にドアスイッチ５ａの入力を判定し（Ｓｔｅｐ１３）、オンの場合は庫内灯３ａの出力をオンし（Ｓｔｅｐ１４）、Ｓｔｅｐ１２に戻る。Ｓｔｅｐ１３でドアスイッチ５ａがオフの場合はタイマーが所定時間経過したか判定（Ｓｔｅｐ１５）し、経過していなければＳｔｅｐ１３に戻り、所定時間経過するまでドアスイッチ５ａの入力判定を繰り返す。ドアスイッチ５ａがオフのまま所定時間経過すると庫内灯３ａの出力をオフさせて（Ｓｔｅｐ１６）からＳｔｅｐ１２に戻る。
【００３１】
これにより、ドアスイッチ５ａのオフ入力が所定時間未満の場合はオフ入力を無効とし、オフ入力が所定時間継続した場合は有効として庫内灯出力をオフさせることができる。
【００３２】
これにより、図７の本実施の形態の動作タイムチャートに示すように、ドアスイッチ５ａがチャタリングしたとしてもドアスイッチ５ａの閉入力が所定時間未満の短周期のチャタリングは防止でき、庫内灯３ａや庫内灯３ａに接続した庫内灯用リレー１２の接点寿命の低下を抑制できるとともに、扉４ａを開けドアスイッチ５ａが開になると即庫内灯３ａを点灯でき、ユーザーの使い勝手を損なうこともない。
【００３３】
（実施の形態３）
本発明の実施の形態３における庫内灯制御回路を備えた冷蔵庫の正面図、庫内灯制御回路の回路図は実施の形態１と同じであり、同じ符号を付与し説明は省略する。
【００３４】
図８は、本発明の実施の形態３における制御プログラムフローチャートである。
【００３５】
電源投入時は庫内灯出力をオフし（Ｓｔｅｐ２１）、次に前回ドアスイッチメモリをオフする（Ｓｔｅｐ２２）。尚、ドアスイッチメモリはマイコンのドアスイッチ５ａの入力読込み速度毎に記録されるので、通常一般的に読込み速度を２０ｍｓ前後とすると、前回ドアスイッチメモリは約２０ｍｓ前のドアスイッチ５ａの入力状態ということである。次にタイマーをクリアしておく（Ｓｔｅｐ２３）。尚、タイマーはダウンタイマーでタイマーがクリアにて所定時間経過したこととする。次にドアスイッチ５ａの入力を判定し（Ｓｔｅｐ２４）、オンの場合は、前回ドアスイッチメモリにおけるドアスイッチ５ａの入力を判定し（Ｓｔｅｐ２５）、オフの場合は今回ドアスイッチ５ａがオフからオンになったこととなり、次にタイマーに所定時間をセットして（Ｓｔｅｐ２６）、庫内灯３ａの出力をオンする（Ｓｔｅｐ２７）。次に前回ドアスイッチメモリをオンし（Ｓｔｅｐ２８）、Ｓｔｅｐ２４に戻る。
【００３６】
また、Ｓｔｅｐ２５で前回ドアスイッチメモリがオンの場合は、前回よりドアスイッチ５ａのオンを継続していることになり、Ｓｔｅｐ２６でのタイマーへの所定時間セットを行わず、Ｓｔｅｐ２７に移行する。
【００３７】
また、Ｓｔｅｐ２４でドアスイッチ５ａがオフの場合は、前回ドアスイッチメモリをオフにし（Ｓｔｅｐ２９）、タイマーが所定時間経過したか判定し（Ｓｔｅｐ３０）、経過していなければＳｔｅｐ２４に戻り、所定時間経過するまでドアスイッチ５ａの入力判定を繰り返す。ドアスイッチ５ａがオフのまま所定時間経過すると庫内灯３ａの出力をオフさせて（Ｓｔｅｐ３１）からＳｔｅｐ２４に戻る。
【００３８】
このような制御プログラムとすることにより、ドアスイッチ５ａがオフからオンになってから所定時間は庫内灯出力をオンのまま継続でき、所定時間経過後はドアスイッチ５ａがオフになると即庫内灯出力をオフにすることが出来る。又、ドアスイッチ５ａがオフからオンになる毎に所定時間を計時しなおすので、所定時間未満の短周期のチャタリングは庫内灯出力をオンのままにできる。
【００３９】
これにより、図９の本実施の形態の動作タイムチャートに示すように、ドアスイッチ５ａがチャタリングしたとしても、所定時間未満の短周期のチャタリングは防止でき、庫内灯３ａや庫内灯３ａに接続した庫内灯用リレー１２の接点寿命の低下を抑制できるとともに、扉４ａを開けドアスイッチ５ａが開になると即庫内灯３ａを点灯でき、又、扉４ａを所定時間以上開けた後、扉４ａを閉めた場合は即庫内灯３ａを消灯できユーザーの使い勝手を損なうこともなく、庫内灯３ａ点灯の遅延による電力消費を抑制できる。
【産業上の利用可能性】
【００４０】
以上のように、本発明の冷蔵庫は、貯蔵室の扉の開閉を検知するドアスイッチとドアスイッチの入力により庫内灯等の負荷の動作を制御する制御装置を用いたものであり、ドアスイッチのチャタリングによる庫内灯等の負荷及び負荷に接続した制御装置の出力回路のチャタリングを抑制でき、ラッシュ電流等による寿命の低下を抑制できる為、貯蔵室の扉の開閉により負荷動作を制御する制御装置を備えた冷蔵庫をはじめとする応用機器に適用できる。
【図面の簡単な説明】
【００４１】
【図１】本発明の実施の形態１における庫内灯制御回路を備えた冷蔵庫の正面図
【図２】本発明の実施の形態１における庫内灯制御回路の回路図
【図３】本発明の実施の形態１における制御プログラムフローチャート
【図４】本発明の実施の形態１における動作タイムチャート
【図５】本発明の実施の形態１におけるオフ出力維持の無い動作タイムチャート
【図６】本発明の実施の形態２における制御プログラムフローチャート
【図７】本発明の実施の形態２における動作タイムチャート
【図８】本発明の実施の形態３における制御プログラムフローチャート
【図９】本発明の実施の形態３における動作タイムチャート
【図１０】従来の庫内灯制御回路を備えた冷蔵庫の正面図
【図１１】従来の庫内灯制御回路の回路図
【符号の説明】
【００４２】
１    冷蔵庫
２ａ  冷蔵室（貯蔵室）
３ａ  庫内灯
４ａ  扉（貯蔵室の扉）
５ａ  ドアスイッチ
６    制御装置
【図１】
2007147099.tif 000003
【図２】
2007147099.tif 000004
【図３】
2007147099.tif 000005
【図４】
2007147099.tif 000006
【図５】
2007147099.tif 000007
【図６】
2007147099.tif 000008
【図７】
2007147099.tif 000009
【図８】
2007147099.tif 000010
【図９】
2007147099.tif 000011
【図１０】
2007147099.tif 000012
【図１１】
2007147099.tif 000013